(57)【要約】【課題】低騒音化を実現できるプロジェクタを提供すること。【解決手段】本発明のプロジェクタ１は、外装筐体２に形成された排気口２１，２２と、外装筐体２内に設けられ、外装筐体２内と連通される第１開口５２、および、排気口２１，２２を介し外装筐体２外に連通される第２、第３開口５３，５４を有する通風筐体５１と、第１開口５２に設けられ、外装筐体２内および通風筐体５１内間で空気を通風させる第１軸流ファン５５と、第２、第３開口５３，５４にそれぞれ設けられ、外装筐体２外および通風筐体５１内間で空気を通風させる第２、第３軸流ファン５６，５７とを備え、第１軸流ファン５５は、常時駆動され、第２、第３軸流ファン５６，５７は、必要に応じて駆動される。【選択図】図１
2007206604.tif 000002
【特許請求の範囲】
【請求項１】
光源装置と、前記光源装置から射出された光束を、画像情報に応じて変調して光学像を形成する光変調装置と、前記光変調装置で形成された光学像を拡大投射する投射光学装置と、前記各装置を内蔵する外装筐体とを備えたプロジェクタであって、
前記外装筐体に形成された外装筐体開口と、
前記外装筐体内に設けられ、前記外装筐体内と連通される内部側開口、および、前記外装筐体開口を介し前記外装筐体外に連通される外部側開口を有する通風筐体と、
前記内部側開口に設けられ、動作中常時、前記外装筐体内および前記通風筐体内間で空気を通風させる内部側ファンと、
前記外部側開口に設けられ、動作中必要に応じて、前記外装筐体外および前記通風筐体内間で空気を通風させる外部側ファンとを備えていることを特徴とするプロジェクタ。
【請求項２】
請求項１に記載のプロジェクタにおいて、
前記内部側ファンおよび前記外部側ファンは、軸流ファンであり、
前記内部側ファンの送風方向および前記外部側ファンの送風方向は、互いに一直線上に位置していないことを特徴とするプロジェクタ。
【請求項３】
請求項１または請求項２に記載のプロジェクタにおいて、
前記外部側開口は、複数形成され、
前記外部側ファンは、前記複数の外部側開口にそれぞれ設けられていることを特徴とするプロジェクタ。
【請求項４】
請求項３に記載のプロジェクタにおいて、
前記複数の外部側ファンのうち少なくとも２つの外部側ファンの各送風方向は、互いに一直線上に位置していないことを特徴とするプロジェクタ。
【請求項５】
請求項１〜請求項４のいずれかに記載のプロジェクタにおいて、
前記内部側ファンは、吐出口が前記内部側開口に対向配置されて、前記外装筐体内の空気を前記通風筐体内へ送風し、
前記外部側ファンは、吐出口が前記外部側開口に対向配置され、前記通風筐体内の空気を前記外装筐体外へ送風することを特徴とするプロジェクタ。
【請求項６】
請求項１〜請求項５のいずれかに記載のプロジェクタにおいて、
前記外装筐体内に設けられた温度センサと、
前記温度センサに検出された前記外装筐体内の温度を取得する温度取得部と、
前記温度取得部で取得された前記外装筐体内の温度が所定温度以上であるか否かを判定する温度判定部と、
前記温度判定部で前記外装筐体内の温度が所定温度以上であると判定されると、前記外部側ファンを駆動させるファン制御部とを備えていることを特徴とするプロジェクタ。
【発明の詳細な説明】
【技術分野】
【０００１】
本発明は、プロジェクタに関する。
【背景技術】
【０００２】
従来、光源ランプから射出された光束を、画像情報に応じて光変調装置で変調して光学像を形成し、該光学像を拡大投射するプロジェクタが知られている。
プロジェクタは、光源や光変調装置で発生する熱により暖められた空気を、プロジェクタの外装筐体外へ排出させる排気部を備えている。さらに、排出部は、空気を送風させるためのファンを備えている。
なお、プロジェクタの使用中に送風部のファンが停止されると、排出部内が外圧よりも低圧となり、外装筐体外から排出部内へ空気が逆流する恐れがある。このため、プロジェクタの使用中、排出部においてファンは常時駆動されている。
【０００３】
このようなプロジェクタにおいて、近年、光源ランプの高輝度化に伴い、外装筐体内で発生される最大発熱量も増大している。このため、最大発熱量に応じた排気量を達成するために、１つの排出部に複数のファンが設けられたプロジェクタ（例えば、特許文献１参照）や、排気部に大型のファンが設けられたプロジェクタなどが考案されている。
特許文献１に記載のプロジェクタでは、まず、外装筐体内で暖められた空気が収容部に集められる。収容部は、外装筐体側において外部へ連通される２つの開口が形成され、該開口にそれぞれ排気ファンが設けられている。収容部内に集められた空気は、排気ファンによって２つの開口を介して外装筐体外へ排気される。
【０００４】
【特許文献１】特開２０００−１０１９１号公報
【発明の開示】
【発明が解決しようとする課題】
【０００５】
しかしながら、特許文献１に記載のプロジェクタでは、外装筐体内の発熱量が少ない状態であっても複数の排気ファンが駆動されているため、常に騒音が大きいという課題がある。また、大型のファンを備えたプロジェクタも、ファンが大型であることから、発熱量が少ない状態でも騒音が大きくなってしまうという課題がある。
【０００６】
本発明の目的は、低騒音化を実現できるプロジェクタを提供することにある。
【課題を解決するための手段】
【０００７】
前記した目的を達するために、本発明のプロジェクタは、光源装置と、前記光源装置から射出された光束を、画像情報に応じて変調して光学像を形成する光変調装置と、前記光変調装置で形成された光学像を拡大投射する投射光学装置と、前記各装置を内蔵する外装筐体とを備えたプロジェクタであって、前記外装筐体に形成された外装筐体開口と、前記外装筐体内に設けられ、前記外装筐体内と連通される内部側開口、および、前記外装筐体開口を介し前記外装筐体外に連通される外部側開口を有する通風筐体と、前記内部側開口に設けられ、動作中常時、前外装筐体内および前記通風筐体内間で空気を通風させる内部側ファンと、前記外部側開口に設けられ、動作中必要に応じて、前記外装筐体外および前記通風筐体内間で空気を通風させる外部側ファンとを備えていることを特徴とする。
【０００８】
本発明によれば、外部側ファンは必要に応じて駆動されるため、例えば、外装筐体内の発熱量が少なく外装筐体内外の通気量が小さくてよい場合（通常状態）などには停止させておくことができる。この場合、内部側ファンのみの騒音が発生されるため、通常状態のプロジェクタにおいて発生される騒音を抑制することができる。
そして、内部側ファンは常に駆動されているため、通風筐体内の圧力が外装筐体外の外圧より低下されることはない。従って、例えば、外装筐体内の暖められた空気を、通風筐体を介して外装筐体外へ排気させたい場合に、外装筐体外から通風筐体および外装筐体内へ空気が逆流されることを防ぐことができる。
さらに、この常時駆動される内部側ファンは、外装筐体面より通風筐体を介して内側に設けられているため、プロジェクタ使用者が感じる内部側ファンの駆動音は、外部側ファンの駆動音より小さい。従って、通常状態のプロジェクタにおいて発生される騒音を抑制することができる。
【０００９】
本発明では、前記内部側ファンおよび前記外部側ファンは、軸流ファンであり、前記内部側ファンの送風方向および前記外部側ファンの送風方向は、互いに一直線上に位置していないことが好ましい。
本発明によれば、内部側ファンと外部側ファンの送風方向は、互いに一直線上に位置していないことから、外装筐体内の光が、内部側ファンおよび外部側ファンの隙間を通って外装筐体外へ漏洩することを防ぐことができる。
【００１０】
本発明では、前記外部側開口は、複数形成され、前記外部側ファンは、前記複数の外部側開口にそれぞれ設けられていることが好ましい。
本発明によれば、外部側開口および外部側ファンが複数設けられていることから、外装筐体外および通風筐体内間の通風量を増大させることができる。
さらに、外部側ファンを駆動させる際に、複数の外部側ファンの中から選択して駆動させることができる。従って、例えば、外装筐体外および通風筐体内間の通風量を段階的に増減させたり、通風方向によって風量を変更させるなど、細かい通風調節を行うことができる。
【００１１】
本発明では、前記複数の外部側ファンのうち少なくとも２つの外部側ファンの各送風方向は、互いに一直線上に位置していないことが好ましい。
本発明によれば、少なくとも２つの外部側ファンの各送風方向が、互いに一直線状に位置していないことから、該外部側ファンの駆動状態を調整することで、外装筐体外および通風筐体内間の通風方向を変化させることができる。例えば、外部側ファンによって通風筐体内の空気を外装筐体外へ排気させる場合、排気方向を調整することで、排気風がプロジェクタの使用者や鑑賞者へ当たることを防ぐことができる。
【００１２】
本発明では、前記内部側ファンは、吐出口が前記内部側開口に対向配置されて、前記外装筐体内の空気を前記通風筐体内へ送風し、前記外部側ファンは、吐出口が前記外部側開口に対向配置され、前記通風筐体内の空気を前記外装筐体外へ送風することが好ましい。
本発明によれば、光源装置や光変調装置等で発生される熱により暖められた空気を、外装筐体外へ効率よく排気することができる。従って、外装筐体内の異常な温度上昇を抑制し、プロジェクタの故障を防止することができる。
【００１３】
本発明では、前記外装筐体内に設けられた温度センサと、前記温度センサに検出された前記外装筐体内の温度を取得する温度取得部と、前記温度取得部で取得された前記外装筐体内の温度が所定温度以上であるか否かを判定する温度判定部と、前記温度判定部で前記外装筐体内の温度が所定温度以上であると判定されると、前記外部側ファンを駆動させるファン制御部とを備えていることが好ましい。
【００１４】
本発明によれば、外装筐体内の内部温度が所定値以上の際に外部側ファンが駆動される。すなわち、内部温度が所定値未満である場合、すなわち外装筐体内の発熱量が小さい場合には外部側ファンは駆動されず、内部側ファンのみが駆動される。従って、内部側ファンの駆動による騒音のみとなるため、通常状態のプロジェクタにおいて発生される騒音を抑制することができる。
そして、外装筐体内の内部温度が所定値以上になると、外部側ファンを駆動させることで、通風筐体を介した外装筐体外および外装筐体内の通風量を増大させることができる。このように、通風量を増大させることで、外装筐体内の各装置を冷却し内部温度を低下させることができる。
【発明を実施するための最良の形態】
【００１５】
本発明の一実施形態を図１〜図４を参照して説明する。
〔プロジェクタ１の構成〕
図１は、プロジェクタ１の概略構成を模式的に示す図である。
プロジェクタ１は、光源から射出される光束を画像情報に応じて変調して光学像を形成し、形成した光学像をスクリーン（図示略）上に拡大投射するものである。このプロジェクタ１は、図１に示すように、外装筺体２と、投射光学装置としての投射レンズ３と、光学ユニット４と、通気ユニット５等を備える。
なお、図１において、図示は省略するが、外装筺体２内において、投射レンズ３、光学ユニット４および通気ユニット５以外の空間には、プロジェクタ１内の各構成部材に電力を供給する電源ユニット、およびプロジェクタ１全体を制御する制御装置６等が配置されるものとする。
【００１６】
外装筺体２は、図１に示すように、各構成３〜５を内部に収納配置する全体略直方体状に形成されている。
外装筐体２は、投射レンズ３の側方および液晶パネル４４１の下方に、外装筐体２外部の冷却空気を内部に取り込むための吸気口（図示略）が形成され、プロジェクタ１前部における投射レンズ３とは反対側角部に、外装筐体２内の空気を排気するための２つの排気口２１，２２が形成されている。なお、排気口２１，２２は、本発明の外装筐体開口に相当する。
【００１７】
さらに、外装筐体２の上面には、複数の操作ボタンを有する操作パネル（図示略）が設けられている。操作パネルは、操作ボタンの入力操作に応じて、プロジェクタ１の電源を投入するための電源オン信号、電源を遮断するための電源オフ信号、および、排気口からの排気方向を変更させるための排気方向変更信号等の各種操作信号を、後述する制御装置６へ出力する。
【００１８】
光学ユニット４は、制御装置６による制御の下、光源装置４１１（図１）から射出された光束を、光学的に処理して画像情報に対応した光学像を形成するユニットである。この光学ユニット４は、図１に示すように、外装筺体２の背面に沿って延出するとともに、外装筺体２の側面に沿って延出する平面視略Ｌ字形状を有している。なお、この光学ユニット４の詳細な構成については、後述する。
投射レンズ３は、光学ユニット４にて形成された光学像をスクリーン上に拡大投射する。この投射レンズ３は、筒状の鏡筒内に複数のレンズが収納された組レンズとして構成されている。
【００１９】
〔光学ユニット４の詳細な構成〕
光学ユニット４は、図１に示すように、照明光学装置４１と、色分離光学装置４２と、リレー光学装置４３と、光学装置４４と、これら装置４１〜４４を内部に収納配置するとともに、投射レンズ３を所定位置で支持固定する光学部品収納筐体４５とを備える。
照明光学装置４１は、光学装置４４を構成する後述する液晶パネルの画像形成領域をほぼ均一に照明するための光学系である。この照明光学装置４１は、図１に示すように、光源装置４１１と、第１レンズアレイ４１２と、集光装置としての第２レンズアレイ４１３と、偏光変換素子４１４と、集光装置としての重畳レンズ４１５とを備える。
【００２０】
光源装置４１１は、図１に示すように、放射状の光線を射出する光源ランプ４１６と、この光源ランプ４１６から射出された放射光を反射し所定位置に収束させるリフレクタ４１７と、リフレクタ４１７にて収束される光束を光軸Ａに対して平行化する平行化凹レンズ４１８とを備える。光源ランプ４１６としては、ハロゲンランプやメタルハライドランプ、高圧水銀ランプが多用される。また、リフレクタ４１７としては、回転楕円面を有する楕円面リフレクタで構成されているが、回転放物面を有する放物面リフレクタで構成してもよい。この場合には、平行化凹レンズ４１８を省略した構成とする。
【００２１】
第１レンズアレイ４１２は、光軸Ａ方向から見て略矩形状の輪郭を有する小レンズがマトリクス状に配列された構成を有している。各小レンズは、光源装置４１１から射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置４４の後述する液晶パネルの画像形成領域に結像させる機能を有している。
【００２２】
偏光変換素子４１４は、第２レンズアレイ４１３と重畳レンズ４１５との間に配置され、第２レンズアレイ４１３からの光を１種類の偏光光に変換するものである。
具体的に、偏光変換素子４１４によって１種類の偏光光に変換された各部分光は、重畳レンズ４１５によって最終的に光学装置４４の後述する液晶パネルの画像形成領域にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の偏光光に変換し、光学装置４４での光の利用効率を高めている。
【００２３】
色分離光学装置４２は、図１に示すように、２枚のダイクロイックミラー４２１，４２２と、反射ミラー４２３とを備え、ダイクロイックミラー４２１，４２２により照明光学装置４１から射出された複数の部分光束を赤、緑、青の３色の色光に分離する機能を有している。
リレー光学装置４３は、入射側レンズ４３１、リレーレンズ４３３、および反射ミラー４３２，４３４を備え、色分離光学装置４２で分離された色光を赤色光用の液晶パネルまで導く機能を有している。
【００２４】
この際、色分離光学装置４２のダイクロイックミラー４２１では、照明光学装置４１から射出された光束の赤色光成分と緑色光成分とが透過するとともに、青色光成分が反射する。ダイクロイックミラー４２１によって反射した青色光は、反射ミラー４２３で反射し、フィールドレンズ４１９を通って青色光用の液晶パネルに達する。このフィールドレンズ４１９は、第２レンズアレイ４１３から射出された各部分光束をその中心軸（主光線）に対して平行な光束に変換する。他の緑色光および赤色光用の液晶パネルの光入射側に設けられたフィールドレンズ４１９も同様である。
【００２５】
ダイクロイックミラー４２１を透過した赤色光と緑色光のうちで、緑色光はダイクロイックミラー４２２によって反射し、フィールドレンズ４１９を通って緑色光用の液晶パネルに達する。一方、赤色光はダイクロイックミラー４２２を透過してリレー光学装置４３を通り、さらにフィールドレンズ４１９を通って赤色光用の液晶パネルに達する。なお、赤色光にリレー光学装置４３が用いられているのは、赤色光の光路の長さが他の色光の光路の長さよりも長いため、光の拡散等による光の利用効率の低下を防止するためである。すなわち、入射側レンズ４３１に入射した部分光束をそのまま、フィールドレンズ４１９に伝えるためである。なお、リレー光学装置４３には、３つの色光のうち赤色光を通す構成としたが、これに限らず、例えば、青色光を通す構成としてもよい。
【００２６】
光学装置４４は、光変調装置としての３つの液晶パネル４４１（赤色光用の液晶パネルを４４１Ｒ、緑色光用の液晶パネルを４４１Ｇ、青色光用の液晶パネルを４４１Ｂとする）と、３つの入射側偏光板４４２と、３つの射出側偏光板４４３と、クロスダイクロイックプリズム４４４とを備える。
３つの入射側偏光板４４２は、図１に示すように、各フィールドレンズ４１９の光路後段にそれぞれ配置される。これら入射側偏光板４４２は、偏光変換素子４１４で偏光方向が略一方向に揃えられた各色光が入射され、入射された光束のうち、偏光変換素子４１４で揃えられた光束の偏光方位と略同一方向の偏光光のみ透過させ、その他の光束を吸収するものである。これら入射側偏光板４４２は、図示は省略するが、サファイアあるいは水晶等の透光性基板上に偏光膜が貼付された構成を有している。
【００２７】
３つの液晶パネル４４１は、図１に示すように、各入射側偏光板４４２の光路後段にそれぞれ配置される。これら液晶パネル４４１は、図示は省略するが、一対の透明なガラス基板に電気光学物質である液晶が密閉封入された構成を有し、前記制御装置から出力される駆動信号に応じて、所定の画素位置の前記液晶の配向状態が制御され、各入射側偏光板４４２から射出された偏光光束の偏光方位をそれぞれ変調する。
３つの射出側偏光板４４３は、図１に示すように、各液晶パネル４４１の光路後段にそれぞれ配置される。これら射出側偏光板４４３は、入射側偏光板４４２と略同様の構成を有し、図示は省略するが、透光性基板上に偏光膜が貼付された構成を有している。なお、射出側偏光板４４３を構成する前記偏光膜は、光束を透過する透過軸が、入射側偏光板４４２にて光束を透過する透過軸に略直交するように配置される。
【００２８】
クロスダイクロイックプリズム４４４は、射出側偏光板４４３の光路後段に配置され、各射出側偏光板４４３から射出された色光毎に変調された光学像を合成してカラー画像を形成する光学素子である。このクロスダイクロイックプリズム４４４は、４つの直角プリズムを貼り合わせた平面視正方形状をなし、直角プリズム同士を貼り合わせた界面には、２つの誘電体多層膜が形成されている。これら誘電体多層膜は、液晶パネル４４１Ｒ，４４１Ｂから射出され各射出側偏光板４４３を介した各色光を反射し、液晶パネル４４１Ｇから射出され射出側偏光板４４３を介した色光を透過する。このようにして、各液晶パネル４４１にて変調された各色光が合成されてカラー画像が形成される。
【００２９】
光学部品収納筐体４５は、光源装置４１１が収納される光源収納室４５１と、光源装置４１１を除く他の光学部品が収納される容器状に形成された光学部品収納室４５２と、この光学部品収納室４５２の外側面に形成され、投射レンズ３が設置される投射レンズ設置部（図示略）とを備えている。
【００３０】
光源収納室４５１は、光学部品収納室４５２側、および、光学部品収納室４５２とは反対側端面にそれぞれ開口４５１１，４５１２を有する略箱状に形成されている。そして、これら開口４５１１，４５１２を介して、空気が光源収納室４５１内外に流通可能となっている。
また、光源収納室４５１の内壁には、温度センサ７が取り付けられている。温度センサ７は、温度特性を有するサーミスタの抵抗値を検出し、検出された抵抗値データを制御装置６に出力する。
光学部品収納室４５２の底面部分には、光学装置４４の３つの液晶パネル４４１Ｒ，４４１Ｇ，４４１Ｂに応じた位置、および、偏光変換素子４１４に応じた位置にそれぞれ開口（図示略）が形成されている。
【００３１】
外装筐体２の各吸気口から吸気された冷却空気は、各開口４５１１，４５１２から光源収納室４５１および光学部品収納室４５２に送入され、光源ランプ４１６および液晶パネル４４１等を冷却したのち、後述する通気ユニット５を介して排気口２１，２２から排気される。
【００３２】
〔通気ユニット５の構成〕
図１、図２を用いて冷却ユニットを説明する。図２は、プロジェクタ１の背面側中央から見た通気ユニット５の斜視図である。ここで、図１、図２において、投射レンズ３の投射方向を＋Ｙ軸方向、Ｙ軸方向に直交し光源装置４１１から射出される光束の射出方向を＋Ｘ軸方向とする。
通気ユニット５は、図１に示すように、外装筐体２内において、光源装置４１１の−Ｘ軸方向側にＹ軸方向に沿って配置されている。通気ユニット５は、図１および図２に示すように、第１開口５２、第２開口５３および第３開口５４を有する通風筐体５１と、各開口５２，５３，５４にそれぞれ対向配置された第１軸流ファン５５、第２軸流ファン５６および第３軸流ファン５７とを備えている。
【００３３】
通風筐体５１は、図１、図２に示すように、Ｙ軸方向に長尺の略直方体形状を有しており、＋Ｙ軸方向端部は、Ｘ軸方向両側面が互いに接近する向きへ傾斜されて鋭角部状に形成されている。ここで、通風筐体５１の＋Ｘ軸方向側の隔壁５１１を内側隔壁５１１Ａ、−Ｘ軸方向側の隔壁５１１を外側隔壁５１１Ｂ、傾斜された＋Ｙ軸側端部の−Ｘ軸方向側面を傾斜外側隔壁５１１Ｃとする。
第１開口５２は、本発明の内部側開口に相当し、内側隔壁５１１Ａの−Ｙ軸方向端部に形成されている。すなわち、第１開口５２は、図１に示すように光源装置４１１に対向している。
第２開口５３は、傾斜外側隔壁５１１Ｃに形成され、外装筐体２の排気口２１に対向している。また、第３開口５４は、外側隔壁５１１Ｂの＋Ｙ軸方向端部に形成され、外装筐体２の排気口２２に対向している。なお、第２開口５３および排気口２１、第３開口５４および排気口２２は、それぞれ本発明の外部側開口を構成する。
【００３４】
第１軸流ファン５５は、吐出口を第１開口５２に対向させ、吸入口を光源収納室４５１の開口４５１２に対向させて隔壁５１１に取り付けられている。すなわち、第１軸流ファン５５は、光源収納室４５内の空気を、開口４５１２および第１開口５２を介して通風筐体５１内へ送風している。この第１軸流ファン５５の送風方向は、−Ｘ軸方向である。なお、第１軸流ファン５５は、本発明の内部側ファンに相当する。
【００３５】
第２軸流ファン５６は、吐出口を第２開口５３に対向させて隔壁５１１に取り付けられている。すなわち、第２軸流ファン５６は、通風筐体５１内の空気を、第２開口５３および排気口２１を介して外装筐体２外へ送風している。この第２軸流ファン５６の送風方向は、−Ｘ軸方向および＋Ｙ軸方向の合成方向である。なお、第２軸流ファン５６は、本発明の外部側ファンに相当する。
【００３６】
第３軸流ファン５７は、吐出口を第３開口５４に対向させて隔壁５１１に取り付けられている。すなわち、第３軸流ファン５７は、第２軸流ファン５６と同様に、通風筐体５１内の空気を、第３開口５４および排気口２２を介して外装筐体２外へ送風している。なお、第３軸流ファン５７は、本発明の外部側ファンに相当する。
第３軸流ファン５７の送風方向は、第１軸流ファン５５と同様に−Ｘ軸方向であるが、図１、図２を参考に、通気ユニット５を−Ｘ軸方向側から見た平面視では、第１軸流ファン５５の送風軸および第３軸流ファン５７の送風軸は、Ｙ軸方向にずれており、同一直線上に位置していない。
なお、各軸流ファン５５，５６，５７は、制御装置６の制御の下駆動される。
【００３７】
〔制御装置６の構成〕
図３は、制御装置６の機能的構成のうち、通気ユニット５によるプロジェクタ１の冷却処理に関わる機能的構成を説明するためのブロック図である。
制御装置６は、外装筐体２の操作パネル２３から出力された各種操作信号を取得する入力信号取得部６１と、通気制御部６２と、メモリ６３とを備えている。
このうち、メモリ６３は、制御装置６によって処理されるプログラムや各種データが記録されている。例えば、メモリ６３には、プロジェクタ１の冷却処理を実行させるための通気ユニット制御プログラム、および、後述する基準温度Ｔ０等が記録されている。
【００３８】
通気制御部６２は、光源収納室４５１内の温度、および、操作パネル２３の入力操作に応じて、各軸流ファン５５，５６，５７の駆動を制御し、通風筐体５１内の空気を排気させる。通気制御部６２は、温度取得部６２１と、温度判定部６２２と、第１ファン制御部６２３と、第２ファン制御部６２４と、第３ファン制御部６２５とを備えている。
温度取得部６２１は、光源収納室４５１内に取り付けられた温度センサ７から出力される抵抗値データを監視し、当該抵抗値データを解析して光源収納室４５１の内部温度Ｔを取得している。
温度判定部６２２は、温度取得部６２１で取得された内部温度Ｔをメモリ６３内の基準温度Ｔ０と比較し、内部温度Ｔが基準温度Ｔ０以上であるか否かを判定する。
【００３９】
第１ファン制御部６２３は、第１軸流ファン５５の駆動を制御する。具体的には、第１ファン制御部６２３は、入力信号取得部６１により取得された各種入力信号、および、温度判定部６２２の判定結果に応じて、第１軸流ファン５５の回転開始、回転数の調整および回転停止等を行う。
第２ファン制御部６２４、第３ファン制御部６２５も同様に、それぞれ第２軸流ファン５６、第３軸流ファン５７の駆動を制御する。
【００４０】
〔制御装置６の作用〕
制御装置６の作用について、図４を用いて説明する。
制御装置６は、光源収納室４５１の内部温度Ｔおよび操作パネル２３の入力操作に応じて、通気ユニット５の駆動を制御しプロジェクタ１の冷却処理を行う。
図４は、制御装置６による冷却処理を説明するためのフロー図である。
図４に示すように、制御装置６の入力信号取得部６１は、制御装置６に入力する入力信号を監視しており、操作パネル２３から出力される電源オン指示信号が入力したか否かを判定している（Ｓ１）。電源オン指示信号が入力されない場合、入力信号取得部６１は、入力信号の監視を続行する。
【００４１】
一方、電源オン指示信号が入力された場合、通気制御部６２を構成する第１ファン制御部６２３は、第１軸流ファン５５を駆動させる（Ｓ２）。
温度取得部６２１は、温度センサ７から出力された抵抗値データを解析し、光源収納室４５１内の内部温度Ｔを取得している（Ｓ３）。
温度判定部６２２は、温度取得部６２１で取得される内部温度Ｔを監視し、内部温度Ｔが基準温度Ｔ０以上であるか否かを判定する（Ｓ４）。
【００４２】
内部温度Ｔが基準温度Ｔ０以上である場合、第２ファン制御部６２４は、第２軸流ファン５６が駆動されているか否かを判定する（Ｓ５）。第２軸流ファン５６が駆動されていない場合、第２ファン制御部６２４は、第２軸流ファン５６を駆動させる（Ｓ６）。一方、第２軸流ファン５６が駆動されている場合、入力信号取得部６１は、処理Ｓ９に進み、制御装置６に入力する入力信号を監視する。
一方、内部温度Ｔが基準温度Ｔ０未満である場合、第２ファン制御部６２４は、第２軸流ファン５６が駆動されているか否かを判定する（Ｓ７）。第２軸流ファン５６が駆動されている場合、第２ファン制御部６２４は、第２軸流ファン５６を停止させる（Ｓ８）。一方、第２軸流ファン５６が駆動されていない場合、入力信号取得部６１は、処理Ｓ９に進み、制御装置６に入力する入力信号を監視する。
【００４３】
処理Ｓ９において、入力信号取得部６１は、操作パネル２３から出力される排気方向変更信号が入力したか否かを判定する。
排気方向変更信号が入力した場合、第３ファン制御部６２５は、第３軸流ファン５７が駆動されているか否かを判定する（Ｓ１０）。第３軸流ファン５７が駆動されていない場合、第３ファン制御部６２５は、第３軸流ファン５７を駆動させる（Ｓ１１）。そして、入力信号取得部６１は、処理Ｓ１３に進み、制御装置６に入力する入力信号を監視する。一方、第３軸流ファン５７が駆動されている場合、第３ファン制御部６２５は、第３軸流ファン５７を停止させる（Ｓ１２）。そして、入力信号取得部６１は、処理Ｓ１３に進み、制御装置６に入力する入力信号を監視する。
一方、排気方向変更信号が入力しない場合、入力信号取得部６１は、処理Ｓ１３に進み、制御装置６に入力する入力信号を監視する。
【００４４】
処理Ｓ１３において、入力信号取得部６１は、操作パネル２３から出力される電源オフ信号が入力したか否かを判定している。電源オフ信号が入力されない場合、通気制御部６２は、処理Ｓ３に戻り、処理Ｓ３〜処理Ｓ１２における各種入力信号および内部温度Ｔに応じた制御を行う。一方、電源オフ信号が入力された場合、各ファン制御部６２３，６２４，６２５は、駆動中の各軸流ファン５５，５６，５７を停止させる（Ｓ１４）。そして、制御装置６は、冷却処理を終了する。
【００４５】
本実施形態によれば、第２、第３軸流ファン５６，５７は必要に応じて駆動されるため、例えば、外装筐体２内の発熱量が少なく外装筐体２内外の通気量が小さくてよい場合（通常状態）などには停止させておくことができる。この場合、第１軸流ファン５５のみの騒音が発生されるため、通常状態のプロジェクタ１において発生される騒音を抑制することができる。
そして、第１軸流ファン５５は常に駆動されているため、通風筐体５１内の圧力が外装筐体２外の外圧より低下されることはない。従って、外装筐体２外から通風筐体５１および収納室内へ空気が逆流されることを防ぐことができる。
さらに、この常時駆動される第１軸流ファン５５は、外装筐体２面より通風筐体５１を介して内側に設けられているため、プロジェクタ１使用者が感じる第１軸流ファン５５の駆動音は、第２、第３軸流ファン５６，５７の駆動音より小さい。従って、通常状態のプロジェクタ１において発生される騒音を抑制することができる。
【００４６】
第１軸流ファン５５と第２、第３軸流ファン５６，５７の送風方向は、互いに一直線上に位置していないことから、光源収納室４５１内の光が、第１軸流ファン５５および第２、第３軸流ファン５６，５７の隙間を通って、外装筐体２外へ漏洩することを防ぐことができる。
開口５３，５４および軸流ファン５６，５７がそれぞれ複数設けられていることから、外装筐体２外および通風筐体５１内間の通風量を増大させることができる。
さらに、第２、第３軸流ファン５６，５７を駆動させる際に、第２、第３軸流ファン５６，５７のうち適宜選択して駆動させることができる。従って、例えば、外装筐体２外および通風筐体５１内間の通風量を段階的に増減させたり、通風方向によって風量を変更させるなど、細かい通風調節を行うことができる。
【００４７】
第２、第３軸流ファン５６，５７の各送風方向が、互いに一直線状に位置していないことから、第２、第３軸流ファン５６，５７の駆動状態を調整することで、外装筐体２外および通風筐体５１内間の通風方向を変化させることができる。本実施形態のように、第２、第３軸流ファン５６，５７によって通風筐体５１内の空気を外装筐体２外へ排気させる場合、排気方向を調整することで、排気風がプロジェクタ１の使用者や鑑賞者へ当たることを防ぐことができる。
【００４８】
光源収納室４５１内の内部温度Ｔが基準温度Ｔ０以上の際に、第２軸流ファン５６が駆動される。すなわち、内部温度Ｔが基準温度Ｔ０未満である場合、すなわち光源収納室４５１内の発熱量が小さい場合には第２軸流ファン５６は駆動されず、第１軸流ファン５５のみが駆動される。従って、第１軸流ファン５５の駆動による騒音のみとなるため、通常状態のプロジェクタ１において発生される騒音を抑制することができる。
そして、光源収納室４５１内の内部温度Ｔが基準温度Ｔ０以上になると、第２軸流ファン５６を駆動させることで、通風筐体５１を介した外装筐体２外および光源収納室４５１内の通風量を増大させることができる。このように、通風量を増大させることで、光源収納室４５１内の光源装置４１１を冷却し内部温度Ｔを低下させることができる。
【００４９】
〔前記実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
【００５０】
前記実施形態では、各ファン５５，５６，５７に軸流ファンを用いたが、本発明では、シロッコファンを用いてもよい。
前記実施形態では、通気ユニット５は、外装筐体２内の空気を外装筐体２外へ排気させる排気ユニットであったが、本発明では、外装筐体２外の空気を、外装筐体２内へ吸気する吸気ユニットであってもよい。
具体的には、本変形例の通気ユニット５は、光学装置４４付近に配置されている。さらに、第１軸流ファン５５は、吸入口を第１開口５２に対向配置させ、第２、第３軸流ファン５６，５７は、吸入口をそれぞれ外装筐体２の吸気口に連通する第２、第３開口５３，５４に対向配置させている。
【００５１】
このような構成によれば、通気ユニット５で吸気された外装筐体２外部の空気を、液晶パネル４４１および偏光変換素子４１４に送風し冷却させることができる。そして、前記実施形態のように、液晶パネル４４１近傍の温度に応じて第２、第３ファンを駆動・停止させることにより、液晶パネル４４１および偏光変換素子４１４を適切に冷却できるとともに、ファン駆動による騒音を抑制することができる。
【００５２】
前記実施形態では、処理Ｓ４において内部温度Ｔが基準温度Ｔ０以上と判定された場合、第２軸流ファン５６のみが駆動された。しかしながら、本発明では、第２軸流ファン５６と同時に第３軸流ファン５７をも駆動させてもよい。
また、各ファン制御部６２３，６２４，６２５は、内部温度Ｔに応じて各軸流ファン５５，５６，５７の回転数を調節してもよい。
前記実施形態では、光源収納室４５１内の温度を内部温度Ｔとして基準温度Ｔ０と比較したが、光源収納室４５１優位の温度、光源装置４４周囲の温度、または、第１軸流ファン５２周囲の温度を内部温度Ｔとしてもよい。
【００５３】
前記実施形態では、光変調装置として透過型の液晶パネル４４１を採用していたが、これに限らず、反射型の液晶パネルを採用してもよく、あるいは、ディジタル・マイクロミラー・デバイス（テキサス・インスツルメント社の商標）を採用してもよい。
【図面の簡単な説明】
【００５４】
【図１】本発明の一実施形態に係るプロジェクタの光学ユニットおよび通気ユニットを示す模式平面図。
【図２】前記実施形態に係る通気ユニットを示す斜視図。
【図３】前記実施形態に係る制御装置の機能的構成を示すブロック図。
【図４】前記実施形態に係る制御装置の作用を説明するためのフロー図。
【符号の説明】
【００５５】
１…プロジェクタ、２…外装筐体、２１…排気口（外装筐体開口）、２２…排気口（外装筐体開口）、３…投射レンズ（投射光学装置）、４１１…光源装置、４４１，４４１Ｒ，４４１Ｇ，４４１Ｂ…液晶パネル（光変調装置）、５１…通風筐体、５２…第１開口（内部側開口）、５３…第２開口（外部側開口）、５４…第３開口（外部側開口）、５５…第１軸流ファン（内部側ファン）、５６…第２軸流ファン（外部側ファン）、５７…第３軸流ファン（外部側ファン）、６１…入力信号取得部、６２１…温度取得部、６２２…温度判定部、６２３…第１ファン制御部、６２４…第２ファン制御部、６２５…第３ファン制御部、７…温度センサ、Ｔ…内部温度、Ｔ０…基準温度（所定温度）。
【図１】
2007206604.tif 000003
【図２】
2007206604.tif 000004
【図３】
2007206604.tif 000005
【図４】
2007206604.tif 000006